(57)【要約】【課題】１のシリンジの内容物を小分けして取り出せるシリンジ型噴出器を提供する。【解決手段】シリンジ型噴出器1は、指掛け部14を有するシリンジ10と、シリンジ10内に押し込み可能なプランジャPとを備える。プランジャPは、ピストン保持部材30と、ピストン保持部材30の後側に配置されるプランジャ操作部材40とを有する。ピストン保持部材30は、変形及び復元が可能な複数のアーム33に、シリンジ後端開口部A1から進入してシリンジ内周面10fを摺動可能な摺動突起34と、シリンジ後端10eに係止される係止突起35が設けられたストッパ30sを有する。プランジャ操作部材40は、ストッパ30sを動作可能に収納する切欠き30cが形成されているとともに、切欠き30cの突き当たり端部44がストッパ30sの自由端30eを押圧する押圧面44に形成され、シリンジ後端10eに乗り越え可能に係止される複数の係止部46が軸線O方向に間隔を置いて配置されている。【選択図】図３
2014108209.tif 000002
【特許請求の範囲】
【請求項１】
指掛け部を有するシリンジと、当該シリンジ内に押し込み可能なプランジャとを備え、
プランジャは、ピストンを前側に有するピストン保持部材と、当該ピストン保持部材の後側に配置されるプランジャ操作部材とを有し、
ピストン保持部材は、変形及び復元が可能な複数のアームに、シリンジの後端開口部から進入して当該シリンジの内周面を摺動可能な摺動突起と、シリンジの後端に係止される係止突起が設けられたストッパを有するものであり、
プランジャ操作部材は、ストッパを動作可能に収納する切欠きが形成されているとともに、当該切欠きの突き当たり端部がストッパの自由端を押圧する押圧部に形成され、さらに、シリンジの後端に乗り越え可能に係止される係止部が軸線方向に間隔を置いて複数配置されたものである、定量シリンジ型噴出器。
【請求項２】
請求項１において、前記係止部がプランジャ操作部材から隆起する隆起部である定量シリンジ型噴出器。
【請求項３】
請求項１において、前記係止部がプランジャ操作部材から突出する反転可能な反転部である定量シリンジ型噴出器。
【請求項４】
請求項１乃至３のいずれか１項において、プランジャ操作部材の押し戻しを可能にするとともに、当該プランジャ操作部材を抜け止め保持する抜け止め部を設けた定量シリンジ型噴出器。
【請求項５】
請求項１乃至４のいずれか１項において、ストッパの自由端に、プランジャ操作部材からの受圧部を形成する段差を設け、当該段差の側面をテーパ面に形成したことを特徴とする定量シリンジ型噴出器。
【請求項６】
請求項１乃至５のいずれか１項において、プランジャ操作部材の突き当たり端部に、テーパ面を形成したことを特徴とする定量シリンジ型噴出器。
【請求項７】
請求項１乃至６のいずれか１項において、シリンジの前端部に噴霧ノズルを設けたことを特徴とする定量シリンジ型噴出器。
【発明の詳細な説明】
【技術分野】
【０００１】
本発明は、指掛け部を有するシリンジと、シリンジ内に押し込み可能なプランジャとを備え、１つのシリンジ内に充填された内容物を小分けにして噴出させることができる定量シリンジ型噴出器に関するものである。
【背景技術】
【０００２】
シリンジ型噴出器には、例えば、プランジャロッド（プランジャ）を有するピストン（ガスケット）をシリンジ内に配置することで、シリンジとピストンとの間に内容物（例えば、薬液）の充填空間を形成するとともに、この充填空間の内容物をプランジャロッドの押し込みによって外界に取り出させるものがある（例えば、特許文献１参照）。
【先行技術文献】
【特許文献】
【０００３】
【特許文献１】特開平７−２１３６１２号公報
【発明の概要】
【発明が解決しようとする課題】
【０００４】
しかしながら、従来のシリンジ型噴出器は、ピストンがシリンジ内で規制されることなく一気に押し込まれてしまうため、１つのシリンジ内に充填された内容物を小分けして噴出することが困難であった。
【０００５】
本発明の目的とするところは、１つのシリンジに充填された内容物を小分けにして噴出することができる、新規な定量シリンジ型噴出器を提供することにある。
【課題を解決するための手段】
【０００６】
本発明は、指掛け部を有するシリンジと、シリンジ内に押し込み可能なプランジャとを備え、プランジャは、ピストンを前側に有するピストン保持部材と、ピストン保持部材の後側に配置されるプランジャ操作部材とを有し、ピストン保持部材は、変形及び復元が可能な複数のアームに、シリンジの後端開口部から進入して当該シリンジの内周面を摺動可能な摺動突起と、シリンジの後端に係止される係止突起が設けられたストッパを有するものであり、プランジャ操作部材は、ストッパを動作可能に収納する切欠きが形成されているとともに、切欠きの突き当たり端部がストッパの自由端を押圧する押圧面に形成され、さらに、シリンジの後端に乗り越え可能に係止される係止部が軸線方向に間隔を置いて複数配置されたものである。
【０００７】
前記係止部は、シリンジの後端に乗り越え可能に係止される隆起部とすることができる。また、前記係止部は、シリンジの後端に反転可能に係止される反転部とすることもできる。
【０００８】
本発明では、プランジャ操作部材の押し戻しを可能にするとともに、当該プランジャ操作部材を抜け止め保持する抜け止め部を設けることができる。
【０００９】
加えて、本発明では、ストッパの自由端に、プランジャ操作部材からの受圧部を形成する段差を設け、当該段差の側面をテーパ面に形成することができる。また、プランジャ操作部材の突き当たり端部には、テーパ面を形成することができる。さらに本発明によれば、シリンジの前端部に、噴霧ノズルを設けることができる。
【発明の効果】
【００１０】
本発明では、使用者がプランジャを押し込むとき、プランジャ操作部材に設けた係止部がシリンジの後端を乗り越える力で押圧する必要があり、隆起部とシリンジの後端との係止が解除されると、プランジャを一気に押し込むことができる。これにより、内容物が勢いよく押し出されることで、内容液を一定の状態に保ちつつ安定的に噴出させることができる。
【００１１】
しかも、プランジャを押し込むと、ピストン保持部材のストッパに設けた摺動突起がシリンジの後端開口部から進入して当該シリンジの内周面を摺動するとともに、当該アームの自由端の動きがシリンジとの間で拘束されることで、当該ストッパに摺動突起を起点にした撓み変形が生じる。このため、プランジャは、摺動突起が邪魔になることなく押し込まれることで、アームに設けた係止突起がシリンジの後端に係止されるまで、１回目の噴出が可能になる。
【００１２】
次いで、プランジャ操作部材の押し込みを緩め、或いは解除すると、上記撓み変形の摺動突起を起点にした復元力によってストッパの自由端側が摺動突起を起点に復元する。このとき、ストッパの固定端側は摺動突起を起点に内側に変形したままであるから、当該ストッパの自由端側は、摺動突起を起点に内側に変形したままの固定端側と整列するように斜め内向きに復元する。このため、係止突起もストッパの自由端側に追従するように斜め内向きに変位することで、当該係止突起の係止が解除される。これにより、再びプランジャを押し込めば、２回目の噴出が可能になる。
【００１３】
従って、本発明によれば、１つのシリンジに充填された内容物を一定の状態に保ちつつ安定的に、小分けにして取り出すことができる。また、本発明では、プランジャ操作部材の押し込みを緩め、或いは解除するだけで、２回目の噴出が可能になる。このため、使用者は、２回目の噴出を行うときに噴出器を持ち替える必要がない。従って、使用者は、内容物の小分けを片手操作で行うことができる。
【００１４】
加えて、本発明では、プランジャ操作部材に、ストッパを動作可能に収納する切欠きを形成したことから、プランジャの全長を短縮できるとともに、ピストン保持部材とプランジャ操作部材を組み付けることで生じるガタツキを軽減することができる。従って、本発明に従えば、良好な操作を維持しつつ内容物を小分けにして噴出することができる。
【図面の簡単な説明】
【００１５】
【図１】本発明の第１の実施形態である点鼻薬噴霧器であって、その操作前の初期状態を一部断面で示す一側面図およびその一部拡大図である。
【図２】同実施形態の操作前の初期状態を一部断面で示す他の側面図およびその一部拡大図である。
【図３】同実施形態にあって、（ａ）は、プランジャを押し込んで１回目の噴霧を開始した状態を示す拡大断面図、（ｂ）は、１回目の噴霧が完了した状態を示す拡大断面図であり、（ｃ）は、２回目の噴霧を開始するためにプランジャの押し込みを緩めた状態を示す拡大断面図である。
【図４】同実施形態にあって、２回目の噴霧がなされた状態を示す断面図である。
【図５】同実施形態にあって、ピストン保持部材の一部とプランジャ操作部材とを模式的に示した分解斜視図である。
【図６】本発明の第２の実施形態である点鼻薬噴霧器に係る、プランジャであって、ピストン保持部材の一部とプランジャ操作部材とを模式的に示した分解斜視図である。
【発明を実施するための形態】
【００１６】
以下、図面を参照して、本発明の定量シリンジ型噴出器を様々な実施形態を用いて詳細に説明する。
【００１７】
図１中、符号１は、本発明の第１の実施形態である、点鼻薬噴霧器である。点鼻薬噴霧器１は、合成樹脂製又はガラス製のシリンジ１０を有する。シリンジ１０は、内容物（点鼻薬）Ｍを充填可能な中空の胴部１１を有し、この胴部１１には、肩部１２を介して前端部１３が一体に繋がる。前端部１３は、胴部１１よりも小径としてなる。前端部１３の内側には、内部通路ｒが形成されている。
【００１８】
符号２０は、シリンジ１０に対して着脱可能な噴霧ノズルである。噴霧ノズル２０は、前端部１３に取り外し可能に嵌合する本体２１を有する。本体２１には、ノズルチップ２２が内蔵されている。また本体２１の前端には、ノズルチップ２２に通じる噴出孔１ａが形成されている。これにより、噴霧ノズル２０は、噴出孔１ａを通して内容物Ｍを外界に噴霧させることができる。
【００１９】
また、胴部１１の後端部には、外向きに突出する指掛け部１４が別体に設けられている。指掛け部１４には、シリンジ１０内を外界に通じさせる開口部（以下、「後端開口部」）Ａ1が形成されている。また、指掛け部１４の後端は、シリンジ１０の後端（以下、「シリンジ後端」）１０ｅを構成する。なお、本発明によれば、指掛け部１４は、胴部１１と一体に設けることができる。
【００２０】
符号Ｐは、シリンジ１０内に収納される合成樹脂製のプランジャである。プランジャＰは、ピストン保持部材３０と、このピストン保持部材３０の後方に配置されるプランジャ操作部材４０とを有する。
【００２１】
ピストン保持部材３０は、保持部本体３１を有し、保持部本体３１の前端部には、ピストン（ガスケット）３０ｐが設けられている。ピストン３０ｐは、後端開口部Ａ1を通してシリンジ１０内に配置される。ピストン３０ｐは、シリンジ１０の内周面１０ｆに摺動可能に保持されている。ピストン３０ｐは、例えば、ゴムなどの弾性材料からなる。これにより、ノズル２０とピストン３０ｐの間には、シリンジ１０内に充填された内容物Ｍを密封保持する充填空間Ｓ1が形成される。
【００２２】
保持部本体３１は、図５に示すように、縦長の４枚のプレート部３１ａと、ディスク部３１ｂとを一体に有する。また、保持部本体３１には、シャフト３２が一体に設けられている。シャフト３２は、ディスク部３１ｂよりも小径のシャフト本体３２ａを有する。シャフト本体３２ａは、ディスク部３１ｂから軸線Ｏに沿って後方に伸びる。シャフト本体３２ａの先端（後端）には、シャフト本体３２ａよりも大径のヘッド３２ｂが一体に設けられている。ヘッド３２ｂは、先端（後端）に向かって先細りする傾斜面３２ｆを有する。
【００２３】
また、保持部本体３１には、２つのストッパ３０ｓが一体に設けられている。ストッパ３０ｓは、シャフト３２を挟んで対向する位置に配置されている。ストッパ３０ｓは、ディスク部３１ｂに一体に固定されるアーム３３を有する。アーム３３はそれぞれ、平板状の形状を有し、ディスク部３１ｂから軸線Ｏに沿って後方に伸びる。すなわち、アーム３３の固定端は、ストッパ３０ｓの固定端３０ａとして機能する。これにより、ストッパ３０ｓはそれぞれ、図５に示す初期位置（図１および図２も同様）から外力を負荷することによって固定端３０ａを基点に変形させることができる。また、ストッパ３０ｓはそれぞれ、外力などの負荷を解除することによって初期位置に復元させることができる。
【００２４】
また、ストッパ３０ｓは、アーム３３に一体に設けられた摺動突起３４を有する。摺動突起３４は、固定端３０ａに向かって先細りに傾斜する傾斜面３４ｆを有する。これにより、摺動突起３４は、後端開口部Ａ1からシリンジ１０内に容易に進入させることができる。さらに、ストッパ３０ｓは、アーム３３に一体に設けられた係止突起３５を有する。係止突起３５は、摺動突起３４から後方に向かって間隔を置いて設けられている。本実施形態では、係止突起３５は、ストッパ３０の自由端（アームの自由端）３０ｅを外向きに突出させた部分として一体に形成されている。これにより、本実施形態では、係止突起３５の後端は、ストッパ３０ｓの自由端３０ｅとして機能する。
【００２５】
また、本実施形態では、ストッパ３０の自由端３０ｅは、図１の拡大図に示すように、テーパ（傾き）がつけられている。自由端３０ｅは、テーパがつけられたことで、点鼻薬噴霧器１の中心軸線（以下、「軸線」）Ｏに直交する水平線に対して外向きに角度θで減少する。θの値は、点鼻薬噴出器の大きさ等に応じて、適宜変更することができる。
【００２６】
加えて、本形態では、図１の拡大図に示すように、係止突起３５に段差３６が設けられている。段差３６は、ストッパ３０ｓの内面側に形成されている。本実施形態では、同図に示すように、段差３６は、受圧部として形成されている。段差３６（以下、「受圧部３６」）は、平坦な突き当たり端面３６ａと、この底面３６ａに繋がる突き当たり側面３６ｂで形作られる。本実施形態では、突き当たり側面３６ｂは、外向きに傾斜するテーパ面として形成されている。
【００２７】
一方、プランジャ操作部材４０は、図５に示すように、操作部本体４１を有し、その後端には、使用者がピストン保持部材３０を押し込むための押圧部４２が一体に設けられている。操作部本体４１は、同図に示すように、円筒形状をなしている。プランジャ操作部材４０の内側には、その前端４０ａと後端４０ｂとの間を貫通する内部空間Ｓ2が形成されている。内部空間Ｓ2は、シャフト３２を収納する。
【００２８】
内部空間Ｓ2には、環状突起４３が介在する。環状突起４３は、操作部本体４１の内側から突出し、その内側に、内部空間Ｓ2よりも小径の開口部Ａ2を形成する。開口部Ａ2は、シャフト本体３２ａよりも大きくヘッド３２ｂよりも小さい内径を有する。これにより、プランジャ操作部材４０は、図２に示すように、シャフト３２を貫通させるとともに、ヘッド３２ｂを抜け止め保持する。すなわち、ヘッド３２ｂと環状突起４３とは、ピストン保持部材３０をプランジャ操作部材４０に抜け止め保持する抜け止め部として機能する。特に、本実施形態では、図５に示すように、環状突起４３の内周面４ｆが後方に向かって縮径するテーパ面で構成されている。これにより、図２に示すように、ヘッド３２ｂを環状突起４３の上端に容易に組み付けることができる。また、プランジャ操作部材４０は、ヘッド３２ｂを環状突起４３よりも、後端側に突出させることで、内部空間Ｓ2のうち、環状突起４３よりも後端側の内部空間Ｓ2にて、遊び空間Ｓを形成する。遊び空間Ｓでは、ヘッド３２ｂを軸線Ｏに沿って前後に移動させることができる。これにより、ピストン保持部材３０とプランジャ操作部材４０を連結してプランジャＰを形成するとともに、ヘッド３２ｂと環状突起４３との間の隙間分だけ、ピストン保持部材３０とプランジャ操作部材４０を、互いに軸線Ｏに沿って移動させることができる。
【００２９】
また、操作部本体４１には、図５に示すように、内部空間Ｓ2に通じる複数の切欠き４０ｃが形成されている。本実施形態では、切欠き４０ｃは、ストッパ３０ｓに対応して２箇所に形成されている。切欠き４０ｃは、図５に示すように、シャフト３２とともにストッパ３０ｓを動作可能に収納することで、ストッパ３０ｓの動きを実質、径方向外向きに沿った動きのみに規制する。
【００３０】
切欠き４０ｃの突き当たり端部４４は、押圧部として形成されている。突き当たり端部４４（以下、「押圧部４４」）は、突き当たり端面４４ａと、この突き当たり端面４４ａに繋がる突き当たり側面４４ｂで形作られている。本実施形態では、突き当たり端面４４ａは、図１の拡大図に示すように、平坦な面として形成されている。また、当たり端面４４ａは、ピストン保持部材３０に設けた突き当たり端面３６ａを押圧する押圧面（以下、「押圧面４４ａ」）として機能し、突き当たり端面３６ａは、押圧面４４ａを受ける受圧面（以下、「受圧面３６ａ」）として機能する。これにより、押圧部４４は、プランジャ操作部材４０の押し込みにより、受圧部３６を押圧する。すなわち、プランジャＰはプランジャ操作部材４０を押し込むことで、ピストン３０ａ（保持部材３０）をシリンジ１０内に押し込むことができる。
【００３１】
また、突き当たり側面４４ｂは、押圧面４４ａに向かって先細りするテーパ面として形成されている。本実施形態では、突き当たり側面４４ｂの傾斜角度は、ピストン保持部材３０の突き当たり側面３６ｂとほぼ等しい。加えて、本実施形態では、突き当たり側面３６ｂと突き当たり側面４４ｂとの間には隙間Ｇが形成されている。
【００３２】
加えて、プランジャ操作部材４０は、図２に示すように、操作部本体４１に、切欠き４０ｃ（軸線Ｏ）を挟んで対向する位置にそれぞれ、複数の係止部４６が一体に設けられている。係止部４６は、プランジャ操作部材４０から一体に隆起する隆起部（以下、「隆起部４６」）としてなる。切欠き４０ｃを挟んで対向する２つの隆起部４６の間は、その最大寸法が、同図に示すようにシリンジ１０に形成された後端開口部Ａ1の内径よりも大きくなるように設定されている。これにより、隆起部４６は、シリンジ後端１０ｅに引っ掛かることで、シリンジ１０に対して係止される。また、２つの隆起部４６の間の最大寸法と後端開口部Ａ1の内径との差分は、プランジャＰの押し込みにより、隆起部４６が一定以上の力でシリンジ後端１０ｅを押圧すると、このシリンジ後端１０ｅを乗り越えられるように設定されている。これにより、隆起部４６は、プランジャＰの押し込みによりシリンジ後端１０ｅに対して乗り越え可能に係止される。
【００３３】
加えて、隆起部４６は、図２に示すように、軸線Ｏ方向に間隔を置いて配置されている。本実施形態では、隆起部４６は、内部空間Ｓ2とともに切欠き４０ｃで分断された操作部本体４１の部分にそれぞれ、軸線Ｏ方向に間隔を置いて２箇所の位置に配置されている。また、本実施形態では、隆起部４６は、操作部本体４１からドーム状に突出する。さらに、隆起部４６は、図１に示すように、操作部本体４１の幅方向に伸びる楕円形状に形成されている。
【００３４】
ここで、本実施形態の使用方法を説明する。
使用者は先ず、図１に示す状態で、人差し指と中指を指掛け部１４に掛けるとともに後端４０ｂを親指で押さえてノズル２０を一方の鼻の穴に挿入した後、プランジャ操作部材４０を押し込む。このとき、プランジャ操作部材４０に設けた隆起部４６がシリンジ後端１０ｅを乗り越える力で押圧する必要があり、その押圧力が一定の力に達するまでは、隆起部４６がシリンジ後端１０ｅを乗り越えることがない。このため、プランジャ操作部材４０をさらに押圧すると、その押圧力が一定の力に達して隆起部４６がシリンジ後端１０ｅを乗り越えることで、隆起部４６とシリンジ後端１０ｅとの係止が解除される。これにより、プランジャ操作部材４０を押し込むことができる。
【００３５】
プランジャ操作部材４０を押し込んだとき、同拡大図に示すように、プランジャ操作部材４０の押圧面４４ａがピストン保持部材３０の受圧面３６ａを押圧するため、ピストン保持部材３０もプランジャ操作部材４０とともに押し込まれる。このとき、ストッパ３０ｓの摺動突起３４は、傾斜面３４ｆを有しているため、図３（ａ）に示すように、後端開口部Ａ1からシリンジ１０内に進入することができる。このとき、プランジャ操作部材４０の押圧面４４ａは、ピストン操作部材３０の受圧面３６ａを大きな力で押圧するため、ストッパ３０ｓの摺動突起３４は、後端開口部Ａ1から進入してシリンジ内周面１０ｆを一気に摺動する。すなわち、プランジャ操作部材４０に対する押圧力が一定の力に達すると、シリンジ１０内のピストン保持部材３０を一気に押し込むことができる。これにより、内容物Ｍが勢いよく押し出されることで、内容物Ｍを一定の状態に保ちつつ安定的に噴出させることができる。
【００３６】
また、ピストン保持部材３０は、プランジャ操作部材４０の押圧面４４ａがストッパ３０ｓの受圧面３６ａに接触して押圧するとともに、ストッパ３０ｓの摺動突起３４がシリンジの内周面１０ｆに接触するため、ストッパ３０ｓの動きは、ストッパ３０ｓの自由端３５がプランジャ操作部材４０の押圧面４４ａに押圧されることで拘束される。このため、ストッパ３０ｓの摺動突起３４が後端開口部Ａ1から進入すると、シリンジ１０内でのストッパ３０ｓの動きも拘束されることで、ストッパ３０ｓ全体には図３（ｂ）に示すように、摺動突起３４を起点にした撓み変形が生じる。これにより、ピストン保持部材３０は、ストッパ３０ｓに生じた撓み変形によって摺動突起３４が邪魔になることなく、シリンジ内周面１０ｆに沿って押し込むことができる。これにより、点鼻薬噴霧器１は、同図に示すように、ストッパ３０ｓに設けた係止突起３５がシリンジの後端１０ｅに接触するまで、噴出口１ａから内容物Ｍを鼻の穴に一定量噴出させることができる。
【００３７】
係止突起３５がシリンジ後端１０ｅに接触すると、ピストン保持部材３０を押し込むことができなくなるので、充填空間Ｓ1に内容物Ｍを残した状態で１回目の噴出は終了する。この時点での充填空間Ｓ1の容量は、使用目的に応じて適宜選択できるが、例えば、噴出開始前の充填空間Ｓ1の容量の半分とする。
【００３８】
次いで、プランジャ操作部材４０の押し込みを緩め、あるいは、解除すると、図３（ｃ）に示すように、上記撓み変形の復元力によって、ストッパ３０ｓの自由端３０ｅ側が摺動突起３４を起点に復元する。このとき、ストッパ３０ｓの固定端３０ａ側は摺動突起３４を起点に内側に変形したままであるから、ストッパ３０ｓの自由端３０ｅ側は、同図に示すように、摺動突起３４を起点に内側に変形したままの固定端３０ａ側と整列するように斜め内向きに復元する。このため、係止突起３５もストッパ３０ｓの自由端３０ｅ側に追従するように斜め内向きに変位することで、当該係止突起３５の係止状態が同図に示すように解除される。
【００３９】
特に、本実施形態では、図１の拡大図で説明したように、プランジャ操作部材４０を押し込んだとき、突き当たり側面４４ｂは、ピストン保持部材３０の突き当たり側面３６ｂで規制されることで、ピストン保持部材３０を効果的に押し込むことができる。また、プランジャ操作部材４０の押し込みを解除すれば、その突き当たり側面４４ｂは、ピストン保持部材３０の突き当たり側面３６ｂを案内に移動するため、ストッパ３０ｓの自由端３０ｅ側が容易にプランジャ操作部材４０を押し戻しつつ逃げることで、ストッパ３０ｓの変形を容易に復元させることができる。
【００４０】
これにより、プランジャ操作部材４０の押し込みを緩め、あるいは、解除した後、再びプランジャ操作部材４０を押し込めば、２回目の噴出が可能になる。本実施形態では、隆起部４６が軸線Ｏに沿って二列に設けられているため、ストッパ３０ｓによる係止状態が解除されたのち、プランジャ操作部材４０を押し込むと、もう一方の隆起部４６がシリンジ後端１０ｅに係止される。このため、プランジャ操作部材４０が押し戻された後、再度プランジャ操作部材４０を押し込むときには、再び、隆起部４６がシリンジ後端１０ｅを乗り越える力で押圧する必要がある。このため、２回目の噴出を行うときには、１回目の噴出操作と同様、プランジャ操作部材４０を大きな力で押圧する。すると、２つ目の隆起部４６とシリンジ後端１０ｅとの係止が解除されることで、プランジャ操作部材４０を一気に押し込むことができる。これにより、図４に示すように、プランジャ操作部材４０の押圧部４４を、ピストン保持部材３０の係止突起３５（自由端３０ｅ）に大きな力で一気に押し込むことができる。このため、ストッパ３０ｓが摺動突起３４を起点に復元したのちも、ピストン保持部材３０を一気に押し込むことができる。
【００４１】
特に、本実施形態では、ストッパ３０ｓの自由端３０ｅにテーパをつけたため、ストッパ３０ｓの自由端３０ｅ側が摺動突起３４を起点に復元しても、プランジャ操作部材４０の押圧面４４ａと平行に近い状態で接触できるので、ピストン保持部材３０の押し込みを円滑に行うことができる。
【００４２】
従って、図３（ｃ）に示すように、プランジャ操作部材４０の押し込みを緩め、あるいは、解除してプランジャ操作部材４０が押し戻された後、他方の鼻の穴にノズル２０を挿入して、プランジャ操作部材４０を押し込めば、図４に示すように、噴出口１ａから充填空間Ｓ1内に残った内容物Ｍを１回目と同様、一定の状態に保ちつつ安定的に噴出させることができる。
【００４３】
上述のように、本実施形態によれば、１つのシリンジ１０に充填された内容物Ｍを一定の状態に保ちつつ安定的に、小分けにして取り出すことができる。また、本実施形態では、プランジャ操作部材４０の押し込みを緩め、或いは、解除すると、２回目の噴出が可能になる。このため、２回目の噴出を行うときに点鼻薬噴霧器１を持ち替える必要がない。従って、使用者は、内容物の小分けを片手操作で行うことができる。
【００４４】
加えて、本実施形態では、プランジャ操作部材４０に、ストッパ３０ｓを動作可能に収納する切欠き４０ｃを形成したことから、プランジャＰの全長を短縮できるとともに、ピストン保持部材３０とプランジャ操作部材４０を組み付けることで生じるガタツキ（例えば、シャフト３２の軸線Ｏ周りの動き）を軽減することができる。従って、本実施形態に従えば、良好な操作を維持しつつ内容物を小分けにして噴出することができる。
【００４５】
さらに、本発明に従えば、係止部（隆起部４６）を変更することができる。図６には、第２の実施形態として、係止部の変形例が示されている。本実施形態に係る、係止部４７は、プランジャ操作部材４０から一体に突出する反転可能な反転部（以下、「反転部４７」）としてなる。反転部４７は、操作部本体４１から外向きに突出する羽根片として形成されている。反転部４７は、プランジャ操作部材４０の前端に向かって傾斜する。反転部４７は、プランジャ操作部材４０を押圧するとき、矢印に示すように反転して摺動抵抗を生じさせる。これにより、反転部４７は、隆起部４６と同様、プランジャＰの押し込みによりシリンジ後端１０ｅに対して乗り越え可能に係止される。
【００４６】
上述したところは、本発明の様々な実施形態であるが、本発明に従えば、様々な変更が可能となる。例えば、ストッパ３０ｓ及び切欠き４０ｃは、２以上設けることができる。特に、本実施形態のように、偶数個で配置すれば、軸線Ｏ周りのバランスが安定するため、良好な操作が実現できる。上述の実施形態では、シリンジ型噴出器を噴霧器として説明したが、本発明に従えば、泡として噴出させ、または、通常の液体として噴出させるなど、内容物を様々な形態で噴出させることができる。
【産業上の利用可能性】
【００４７】
本発明は、フランジ部を有するシリンジと、当該シリンジ内に押し込み可能なプランジャとを備える定量シリンジ型噴出器であれば、様々な形態のものに採用することができる。内容物も、点鼻薬に限定されることなく、様々なものを採用することができる。
【符号の説明】
【００４８】
１      点鼻薬噴霧器（定量シリンジ型噴出器）
１ａ    噴出口
１０    シリンジ
１１    胴部
１２    肩部
１３    前端部
１４    指掛け部
２０    ノズル
２１    本体
２２    噴霧チップ
３０    ピストン保持部材
３０ａ    ストッパ固定端
３０ｐ    ピストン（ガスケット）
３０ｓ    ストッパ
４３ｂ    ストッパ自由端
３１    保持部本体
３２    シャフト
３２ａ  シャフト本体
３２ｂ  ヘッド
３３    アーム
３４    摺動突起
３４ｆ  傾斜面
３５    係止突起
３６    段差（受圧面）
３６ａ  突き当たり端面（受圧面）
３６ｂ  突き当たり側面
４０    プランジャ操作部材
４０ｃ  切欠き
４１    操作部本体
４２    プランジャ操作部
４３    環状突起
４４    突き当たり端部（押圧部）
４４ａ  突き当たり端面（押圧面）
４４ｂ  突き当たり側面
４６    隆起部（係止部）
４７    反転部（係止部）
Ａ1   シリンジ後端開口部
Ａ2   開口部
Ｇ    隙間
Ｍ    内容物（点鼻薬）
ｒ    内部空間
Ｓ1   点鼻薬充填空間
Ｓ2   内部空間
Ｓ      遊び空間
【図１】
2014108209.tif 000003
【図２】
2014108209.tif 000004
【図３】
2014108209.tif 000005
【図４】
2014108209.tif 000006
【図５】
2014108209.tif 000007
【図６】
2014108209.tif 000008